【手続補正書】
【提出日】平成18年9月29日(2006.9.29)
【手続補正１】
【補正対象書類名】明細書
【補正対象項目名】全文
【補正方法】変更
【補正の内容】
【書類名】  明細書
【発明の名称】建築物の基礎構造
【特許請求の範囲】
【請求項１】
鉄筋を挟み相平行させて立設した波形金属薄板製であって、
築造するコンクリート基礎の高さと略等しい高さを有する型枠パネルと、
両端に突出ネジ部を設けかつ、該突出ネジ部が型枠パネルより外方向に突出するように上記型枠パネル間に架橋した水平な複数のセパレーターボルトと、
上記セパレーターボルトの突出ネジ部が挿通される複数の透孔をその鉛直直片部に設けかつ、上記型枠パネルの外側面に沿って水平に設けた逆Ｌ型鋼と、
上記セパレーターボルトの突出ネジ部に螺合させることで、上記逆Ｌ形鋼を型枠パネルに固定するナットと、
上記逆Ｌ形鋼に沿わせることにより、型枠パネルの外倒れを防止する支持柱とからなり、
上記型枠パネルの両内面側間に生コンクリートを投入し、養生固化させたのち支持柱を取外し、型枠パネル，逆Ｌ形鋼，セパレーターボルト，およびナットを全て残した状態で型枠パネルの外側を土壌で埋めることを特徴とした建築物の基礎構造。
【発明の詳細な説明】
【０００１】
【発明の属する技術分野】
本発明は、金属薄板製の型枠パネルを使用した建築物の基礎の構造に関する。
【０００２】
【従来の技術】
而して従来のこの種構造物の技術としては、その代表例を図６に示した。それは、図で例えば縦リブ（１０ａ）付きの木製パネル（１０）を平行に対向位置させ、その対向位置する木製パネル（１０）間にセパレーターボルト（１１）を挿通し、当該セパレーターボルト（１１）の両端部を、横設した二本のパイプ（１２）と止め具（１３）を介してナット（１４）で締付けることによって型枠を形成し、さらにその型枠を支持棒（１５）で支持し、当該型枠内に生コンクリート（８）を流し込んで養生固化させることによって築造している。
【０００３】
而してコンクリート（８）を固化させた後、型枠を構成する木製パネル（１０）と他の全ての部材、すなわちセパレーターボルト（１１），パイプ（１２），止め具（１３）ナット（１４）および支持棒（１５）を取外すものであった。
【０００４】
この為この型枠を構成する部材の取外しに多大の時間と労力を必要とし、建築コストが嵩み、工期が長くなる等の改善すべき問題があった。また、型枠を構成する部材が多いので、組付けが厄介であるといった問題もあった。
【０００５】
即ちこの種従来の工法において、型枠を構成する部材を取除くのは木製パネル（１０）の高さが、当該型枠で築造するコンクリート基礎より不揃に高く、そのまま残存させた状態で埋めてしまうと、土壌（９）から木製パネル（１０）が突出してしまうからである。
【０００６】
その理由としてこの種木製パネル（１０）は、必要な剛性を確保するために比較的肉厚であるため、腐敗後にコンクリート基礎と土壌（９）との間に不要な間隙が形成されてしまうことや、木製であるがために害虫が寄生してしまい易い等の欠点があるためである。
【０００７】
【発明が解決しようとする課題】
そこで本発明の目的とするところは、従来の建築物の基礎コンクリートを形成構造が、型枠を構成する全ての部材を取外す作業を必要としているので多大の時間と労力を必要とし、建築コストや工期等において改善すべき余地があるので、本発明はこれを解決する基礎構造物を提供したことである。また従来は部材が多いので型枠の組付けが厄介であるといった問題も解決できたのである。
【０００８】
【課題を解決するための手段】
即ち本発明建築物の基礎構造特徴とするところは、鉄筋を挟み相平行させて立設した波形金属薄板製であって、築造するコンクリート基礎の高さと略等しい高さを有する型枠パネルと、両端に突出ネジ部を設けかつ、該突出ネジ部が型枠パネルより外方向に突出するように上記型枠パネル間に架橋した水平な複数のセパレーターボルトと、上記セパレーターボルトの突出ネジ部が挿通される複数の透孔をその鉛直直片部に設けかつ、上記型枠パネルの外側面に沿って水平に設けた逆Ｌ型鋼と、上記セパレーターボルトの突出ネジ部に螺合させることで、上記逆Ｌ形鋼を型枠パネルに固定するたナットと、上記逆Ｌ形鋼に沿わせることにより型枠パネルの外倒れを防止する支持柱とからなることである。
【０００９】
そして、上記型枠パネルの両内面側間に生コンクリートを投入し養生固化させたのち支持柱を取外し、型枠パネル，逆Ｌ形鋼，セパレーターボルト，およびナットを全て残した状態で型枠パネルの外側を土壌で埋めることを特徴としたものである。
【００１０】
【発明の効果】
而して本発明に係る建築物の基礎構造の主な効果は、型枠を構成する全ての部材すなわち型枠パネル，セパレーターボルト，逆Ｌ形鋼４およびナット６の全てをそのまま残した状態で埋めてしまうこととしている。
【００１１】
従って、これら型枠を構成する部材を取外す作業を不要とし、それに必要な時間と労力を著しく省くことができ、建築コストの低減と工期の短縮を図ることができるのである。
【００１２】
また型枠を構成する部材が従来の基礎工法と比較して少ないので、組付けが容易であり、その結果建築コストの低減と工期の短縮をさらに促進することができる等である。
【００１３】
また型枠パネルのランナーからその下方には所謂衆知の捨てコンを敷設し、型枠パネルの上下端縁にはキャップおよびランナーを設けた実施例の場合は、型枠パネルを直線状にかつ安定姿勢で立設することができると共に、当該キャップによって型枠パネルの上端部の形状を整えることができるのである。
【００１４】
【発明の実施の形態】
次に本発明の最良の実施例を従来と同一部分は同一符号を付して、図１乃至図５を参照して説明する。
而して図中（１）は後述する生コンクリート（８）内に直立状態で埋めこまれる鉄筋であり、（２）は波形金属薄板製の型枠パネルにして上記この鉄筋（１）を挟み、その側方にあって相平行に立設しかつ、築造するコンクリート基礎の高さと略等しい高さを有するものである。
【００１５】
（３）は水平な複数のセパレーターボルトであって、その両端に突出ネジ部（３ａ）を設けかつ、該突出ネジ部（３ａ）は上記型枠パネル（２）より外方向に突出させて型枠パネル（２）間に架橋されている。
【００１６】
（４）は鉛直直片部（４ａ）と、水平直片部（４ｂ）を有する逆Ｌ形鋼であって、鉛直直片部（４ａ）には、上記セパレーターボルト（３）の突出ネジ部（３ａ）が挿通される複数の透孔（５）が設けられかつ、上記水平直片部（４ｂ）の下端部には外方向に返り部（４ｃ）を設けられている。
【００１７】
（６）は固定ナットであって、上記逆Ｌ型鋼（４）と上記セパレーターボルト（３）の突出ネジ部（３ａ）に螺合させることで、上記逆Ｌ形鋼（４）を型枠パネル（２）に固定することができる。
【００１８】
また（７）は支持柱であり、上端を上記逆Ｌ形鋼（４）に沿わせ、末端を土壌（９）等に埋設することにより型枠パネル（２）の外倒れを防止する為のものである。
【００１９】
この本発明の実施例に係る建築物の基礎構造を用いて、コンクリート基礎を築造するにあたり、上記型枠パネル（２）はその下端縁には上辺が開放されたランナー（２１）およびその上端縁には下辺が開放されたキャップ（２２）を被冠させる。
【００２０】
そして型枠パネル（２）のランナー（２１）からおよびその下方には、所謂衆知の捨てコン（２０）を敷設する。而してこのようにランナー（２１）およびキャップ（２２）を設けることによって型枠パネル（２）は、これを直線状にかつ安定姿勢で立設することができると共に、当該キャップ（２２）によって型枠パネル（２）の上端部の形状を整えることができるのである。
【００２１】
次に、本発明の実施の態様である建築物の基礎構造本体の組み立て手段は、以上の説明および図から容易に推考できるが、簡単に述べれば先ず各セパレーターボルト（３）の端部である突出ネジ部（３ａ）に、型枠パネル（２）の外側面に沿って水平に設けた逆Ｌ型鋼（４）の鉛直直片部（４ａ）に形成した透孔５を挿通する。なお上記鉛直直片部（４ａ）の下端部には返り部（４ｃ）を設けることで、型枠パネル（２）全体が土中に埋没するのを防止する。
【００２２】
この逆Ｌ形鋼（４）は、上記のように鉛直直片部（４ａ）と水平直片部（４ｂ）とから構成されているから、型枠パネル（２）の外方向に突出させた逆Ｌ型鋼（４）の突出ネジ部（３ａ）にナット（６）を螺合し、逆Ｌ形鋼（４）を型枠パネル２に固定する。
【００２３】
さらにこの逆Ｌ形鋼（４）に、末端を土壌９に埋設させた支持柱（７）の上端を当て、型枠パネル（２）の外倒れを防止し、続いて型枠パネル（２）の内面側に生コンクリート（８）を投入し養生固化する。
【００２４】
そして、コンクリート（８）の養生固化が完了した後、支持柱（７）を取外し型枠パネル（２），逆Ｌ形鋼（４），セパレーターボルト（３）およびナット（６）を全て残した状態で型枠パネル（２）の外側を土壌（９）で埋めるのである。
【００２５】
このようにこの実施例の建築物基礎構造本体は、型枠を構成する全ての部材即ち型枠パネル（２），セパレーターボルト（３），逆Ｌ形鋼（４）およびナット（６）のいずれをも取外すことなく、そのまま残した状態でその外側を埋めてしまうことであるから、これら型枠を構成する部材を取外す作業を不要とし、それに必要な時間と労力を省くことができるのである。
【００２６】
さらにこの実施例の型枠パネル（２）は、築造するコンクリート基礎の高さとほぼ等しい高さを有する波形金属薄板製で、その外側を埋めても土壌（９）から突出することがないのである。
【００２７】
また波形金属薄板製であるので、必要な剛性を有しかつ肉薄である。従って、腐食しても基礎コンクリートと土壌（９）との間に問題となるような大きな間隙は形成されず、金属製であるので木製のように害虫が寄生することもない。
【００２８】
よって、本発明は型枠を構成する全ての部材を取外すことなく、そのまま残存させて埋めることが可能となっておりかつ、型枠を構成する部材が従来の基礎工法と比較して少ないので、組付けが容易であるといった利点を併せて有するのである。
【図面の簡単な説明】
【図１】
建築物の基礎構造本体全体の断面説明図
【図２】
型枠パネル，逆Ｌ形鋼，セパレーターボルトおよびナットの取付け状態を示す断面説明図
【図３】
型枠パネルの側面図
【図４】
逆Ｌ形鋼の正面断面図
【図５】
逆Ｌ形鋼の側面面図
【図６】
従来の基礎工法によって形成された型枠を示す正面断面図
【符号の説明】
１  鉄筋
２  型枠パネル
３  セパレーターボルト
３ａ  突出ネジ部
４  逆Ｌ形鋼
４ａ  鉛直直片部
４ｂ  水平直片部
４ｃ  返り部
５  透孔
６  ナット
７  支持柱
８  コンクリート
９  土壌
１０  木製パネル
１０ａ  縦リブ
１１  セパレーターボルト
１２  パイプ
１３  止め具
１４  ナット
１５  支持棒
２０  捨てコン
２１  ランナー
２２  キャップ
【手続補正２】
【補正対象書類名】図面
【補正対象項目名】図１
【補正方法】変更
【補正の内容】
【図１】
2001348882.tif 000001
【手続補正３】
【補正対象書類名】図面
【補正対象項目名】図２
【補正方法】変更
【補正の内容】
【図２】
2001348882.tif 000002
【手続補正４】
【補正対象書類名】図面
【補正対象項目名】図３
【補正方法】変更
【補正の内容】
【図３】
2001348882.tif 000003
【手続補正５】
【補正対象書類名】図面
【補正対象項目名】図４
【補正方法】変更
【補正の内容】
【図４】
2001348882.tif 000004
【手続補正６】
【補正対象書類名】図面
【補正対象項目名】図５
【補正方法】変更
【補正の内容】
【図５】
2001348882.tif 000005
【手続補正７】
【補正対象書類名】図面
【補正対象項目名】図６
【補正方法】追加
【補正の内容】
【図６】
2001348882.tif 000006